(57)【要約】      （修正有）【課題】装飾効果が高く、製造が容易な装飾ライターを提供する。【解決手段】装飾ライターは、ライター本体１の湾曲したタンク部１１にシートを巻着し、シートが変動画像を表示した装飾シート２であることを特徴とする。【選択図】図１
0003195831.tif 000002
【実用新案登録請求の範囲】
【請求項１】
ライター本体の湾曲したタンク部にシートを巻着した装飾ライターであって、
前記シートが変動画像を表示した装飾シートであることを特徴とする、
装飾ライター。
【請求項２】
前記変動画像がレンチキュラー画像であることを特徴とする、請求項１に記載の装飾ライター。
【請求項３】
前記変動画像が全方向立体画像であることを特徴とする、請求項１に記載の装飾ライター。
【請求項４】
前記装飾シートのレンチキュラー画像の配列方向が前記ライター本体の軸方向と一致することを特徴とする、請求項１または２に記載の装飾ライター。
【考案の詳細な説明】
【技術分野】
【０００１】
本考案はライターに関し、より詳しくは、胴部に装飾効果の高い装飾シートを巻着した、装飾ライターに関する。
【背景技術】
【０００２】
使い捨てガスライターは、手ごろなサイズや軽量さ、単価の安さから、久しく喫煙者に愛用され続けている。また、近年では実用商品としてだけなく、その胴部に社名や商品名をプリントしたノベルティ商品としても広く利用されている。
そこで、ライターの装飾効果を高め、より高い宣伝効果を発揮するため、いくつかの考案がなされている。
特許文献１には、燃料タンクに予め印刷や立体的加工を施した加飾体を封入した、ライターが開示されている。
特許文献２には、燃料タンクに表面に図柄模様を表示した透明な合成樹脂製プレートの装飾体を封入した、ライターが開示されている。
【先行技術文献】
【特許文献】
【０００３】
【特許文献１】実用新案登録第３０８６３７６号
【特許文献２】実用新案登録第３１１５１２０号
【考案の概要】
【考案が解決しようとする課題】
【０００４】
しかし、従来のライターには、次のような欠点があった。
＜１＞プリントライター、装飾体内蔵ライターのいずれも、装飾体の装飾は単なる平面形状であり、動きがない。そのため視覚効果が低い。
＜２＞プリントライターは、小さなライターの曲面に正確にプリントを施す必要があるため、加工が難しい。
＜３＞装飾体内蔵ライターは、製造時に装飾体を収容しなければならないため、製造工程が非常に複雑になる。また、余分な部材をガスタンク内に封入するため、安全上も問題が生じる。
＜４＞プリントライター、装飾体内蔵ライターのいずれも、製造前に装飾の内容を決めなければならないため、発注から製造までに長時間を要する。そのため急な発注に迅速に対応することができない。
＜５＞プリントライター、装飾体内蔵ライターのいずれも、完成後に装飾を変更することができない。そのため、発注後の仕様変更等に柔軟に対応できない。
＜６＞児童による火災事故の多発を受けて、平成２２年１２月２７日に消費生活用製品安全法施行令が改正され、いわゆるノベルティライターの販売が規制されることとなった。装飾体内蔵ライターは子どもの興味を惹くノベルティライターに該当するため、法令上販売が認められない。
【課題を解決するための手段】
【０００５】
上記のような課題を解決するための、本考案の装飾ライターは、ライター本体の湾曲したタンク部にシートを巻着した装飾ライターであって、シートが変動画像を表示した装飾シートであることを特徴とする。
【０００６】
本考案の装飾ライターは、変動画像がレンチキュラー画像であることを特徴とする。
【０００７】
本考案の装飾ライターは、変動画像が全方向立体画像であることを特徴とする。
【０００８】
本考案の装飾ライターは、装飾シートのレンチキュラー画像の配列方向がライター本体の軸方向と一致することを特徴とする。
【考案の効果】
【０００９】
本考案の装飾ライターは、以上説明した構造であるため、次の効果を少なくともひとつ備えている。
＜１＞装飾シートにレンチキュラー画像等の変動画像を印刷するため、チェンジング、アニメ、３Ｄ等を表示でき、視覚効果が非常に高い。
＜２＞平面プリントした装飾シートをライター本体のタンク部に貼り付けるだけで装飾が完了するため、製造が容易である。
＜３＞ライター本体に加工を加える必要がないため、製造が容易で安全性が高い。
＜４＞既成のライター本体に、注文に応じて装飾シールを貼り付けるだけで装飾が完了するため、短期間で納品でき、急な発注にも迅速に対応できる。
＜５＞発注後に仕様変更があっても、貼り付ける装飾シールを変更するだけで対応できる。
＜６＞発光や音を伴うものでないため、法令上のノベルティライターに該当せず、法規制を受けず販売することができる。
【図面の簡単な説明】
【００１０】
【図１】本考案に係る装飾ライターの説明図
【図２】本考案に係る装飾ライターの説明図
【図３】図２におけるレンズシートのIII−IIIの断面図
【図４】本考案に係る装飾ライターの実施例２の説明図
【考案を実施するための形態】
【００１１】
以下、図面を参照しながら本考案の装飾ライターについて詳細に説明する。
【実施例１】
【００１２】
＜１＞全体の構成（図１）。
本考案の装飾ライターは、ライター本体１のタンク部１１に装飾シート２を巻着してなる。
本考案の装飾ライターは、本例では圧電着火式の小型ガスライターを採用する。ただし、これに限らず、例えばフリント着火式や、オイルライターであってもよい。要はライターであって、その胴部に装飾を表示するスペースを有すればよい。
【００１３】
＜２＞ライター本体。
ライター本体１は、少なくとも、液体ガスを収容するタンク部１１と、タンク部１１の頂部に位置し、ガスを噴出して燃焼させる発火部１２と、発火部１２に隣接し、ガスに着火するための着火レバー１３と、を有する。
ライター本体１は、本例では、扁平な円柱形状を呈する。その他、真円柱形状、角柱形状等であってもよい。
発火部１２には、ガスの出力量を調整する調整レバー１４を設けることができる。調整レバー１４は、発火部１２の下部側面から突出する。
【００１４】
＜３＞装飾シート（図２）。
装飾シート２は、タンク部１１に巻着する、装飾効果を目的としたシート体である。装飾シート２には、変動画像が表示される。本例では、変動画像はレンチキュラー画像である。
装飾シート２は、レンズシート２１と接着シート２２を貼り合せた二層構造よりなる。
装飾シート２の高さはタンク部１１の高さに対応し、幅はタンク部１１の外周に対応する。本例では、装飾シート２の幅方向の両端部にのりしろを設けるため、装飾シート２の幅を、タンク部１１の外周よりのりしろ分だけ長くする。
【００１５】
＜３．１＞レンズシート（図３）。
レンズシート２１は、装飾シート２の表層側のシートである。
レンズシート２１は、表面方向に突出したかまぼこ状の凸レンズを、平行方向に連続して結合してなる。レンズシート２１の背面には、レンチキュラー画像を印刷する。
レンズシート２１の背面は平面であり、接着シート２２の表面と貼り合せられる。
本例では、レンズシート２１に、レンズピッチ２００ＬＰＩの非晶性ポリエチレンテレフタレート（Ａ−ＰＥＴ）製のシート材を採用する。Ａ−ＰＥＴシートは透明性に優れる上、屈曲に対して白化しないヒンジ強度を有するため、ライター本体１への巻き付けが容易である。但し、レンズピッチ及び原料はこれに限られない。
レンズシート２１の厚みは０．１５ｍｍから０．２０ｍｍ程度であるのが望ましい。
【００１６】
＜３．１．１＞レンチキュラー画像。
レンズシート２１に背面側からレンチキュラー画像を印刷する。
レンチキュラー画像とは、図柄の異なる複数の画像を短冊状に分割し、交互に並べて作成した画像である。レンチキュラー画像の作成方法等は周知技術であるため、ここでは詳述しない。
本例では、第一画像２１Ａと第二画像２１Ｂの二種類を交互に並べた画像をレンズシート２１に印刷する。第一画像２１Ａと第二画像２１Ｂの長手方向は、凸レンズの長手方向と一致させる。
レンチキュラー画像は、三種類以上の画像の組合せとすることもできる。
【００１７】
＜３．２＞接着シート。
接着シート２２は、装飾シート２の下層側のシートである。
接着シート２２として、本例では、不織布の両面にアクリル系粘着剤を塗布したテープ厚０．１５ｍｍ〜０．２０ｍｍ程度の薄型両面テープを採用する。
また、レンズシート２１の背面に接着剤を塗布することで形成した接着層を、接着シート２２とすることもできる。
接着シート２２の背面はライター本体１のタンク部１１の表面と接着する。
【００１８】
＜３．３＞装飾シートの積層。
レンズシート２１の背面と接着シート２２の表面を接着し、装飾シート２を形成する。
装飾シート２は、ライター本体１のタンク部１１の形状に合わせて裁断する。この際、レンズシート２１の凸レンズの配列方向を、ライター本体１の軸方向と直交させる。
【００１９】
＜４＞装飾シートの巻き付け。
ライター本体１のタンク部１１の側面に、装飾シート２を巻き付ける。
装飾シート２は、接着シート２２の粘着力でタンク部１１の側面に接着される。
装飾シート２の一方の側端部ののりしろ部分に、他方の側端部を重ね合わせて留める。
装飾シート２の側端部にのりしろ部分を設けることで、下になるレンズシート２１表面の凸レンズ間の隙間に、上に重なる接着シート２２のアクリル系接着剤が入り込み、両者を強力に接着することができる。よって、装飾シート２がタンク部１１からはがれにくい。
尚、のりしろ部分を設けずに、装飾シート２の両端部を合せて貼り付けることもできる。
【００２０】
＜５＞レンチキュラー画像による視覚効果。
本願の装飾ライターは、レンズシート２１に印刷したレンチキュラー画像と凸レンズとの組合せによって、使用者に以下の三種類の視覚効果を与えることができる。
（１）チェンジング効果：ライターの角度によって、全く異なった複数の画像を切り替え表示させる。
（２）アニメ効果：ライターの角度によって、少しずつ異なった複数の画像を表示させ、あたかも画像が動いているように感じさせる。
（３）３Ｄ効果：右目用、左目用の二種類の画像を組み合わせることで、視差を利用して、立体感を感じさせる。
【実施例２】
【００２１】
［レンチキュラー画像をライター本体の軸方向に配列する例］（図４）
実施例１の装飾シート２を９０°回転させ、レンチキュラー画像をライター本体１の軸方向に配列した、他の実施例について説明する。
即ち、本実施例においては、凸レンズの長手方向がライター本体１の軸方向と直交するように、装飾シート２をライター本体１に巻着する。
【００２２】
本実施例においては、実施例１の装飾ライターの効果に加え、次の二つの効果を更に有する。
（１）本例では、第一画像２１Ａと第二画像２１Ｂをライター本体１の軸方向に配列するため、第一画像２１Ａと第二画像２１Ｂの配列数を増加させることができる。そのため、レンチキュラー画像の変化が大きく、視覚的効果が非常に高い。
（２）本例では、レンズシート２１の凸レンズの長手方向が、ライター本体１の軸方向に直交するため、滑り止めの効果を奏する。タンク部の表面が滑らかなライターは、着火レバーの押下げ時に、汗等によりライター本体が手の中から滑りぬけてしまうことがある。これに対し、本例の装飾ライターは、複数の凸レンズで形成された溝が、ライター本体１の軸方向への滑り止めとなるため、着火時にライター本体１が手の中で滑りにくい。
【実施例３】
【００２３】
［装飾シートが全方向立体シートである例］
本実施例１の装飾シート２を全方向立体シートとした、他の実施例について説明する。
本例では、装飾シート２の変動画像を、全方向立体画像とする。全方向立体画像はレンチキュラー画像と異なり、３６０°いずれの方向から見ても３Ｄ効果が得られる画像である。装飾シート２には、微細な半球状のドットレンズを均等に配置した多層構造の全方向立体シートを採用する。全方向立体シートの構造については周知技術であるため、ここでは詳述しない。
本実施例においては、装飾シート２をどの方向から見ても装飾が立体的に表示される、３Ｄ視覚効果を得ることができる。
【符号の説明】
【００２４】
１      ライター本体
１１    タンク部
１２    発火部
１３    着火レバー
１４    調整レバー
２      装飾シート
２１    レンズシート
２１Ａ  第一画像
２１Ｂ  第二画像
２２    接着シート
【図１】
0003195831.tif 000003
【図２】
0003195831.tif 000004
【図３】
0003195831.tif 000005
【図４】
0003195831.tif 000006